(57)【要約】  握手を検出するためのシステム及び方法を説明しており、当該システムは、第１の電子リストバンド及び第２の電子リストバンドを備える。第１の電子リストバンドは、第１の処理装置と、第１の加速度計と、第１の無線トランシーバーモジュールとを備える。第１の処理装置は、加速度データを第１の加速度計から受信し、第１の電子リストバンドの現在の状態を判断するように構成されている。第２の電子リストバンドは、第２の処理装置と、第２の加速度計と、第２の無線トランシーバーモジュールとを備える。第２の処理装置は、加速度データを第２の加速度計から受信し、第２の電子リストバンドの現在の状態を判断するように構成されている。第１の処理装置は、第１の処理装置によって第１の電子リストバンドが振動していることを示していると判断された第１の電子リストバンドの現在の状態が、第１の無線トランシーバーモジュールが第２の無線トランシーバーモジュールからブロードキャストパケットを受信することと実質的に同時に発生した場合、握手を検出するように構成され、ブロードキャストパケット中の第２の電子リストバンドの現在の状態は、第２の電子リストバンドが振動していることを示す。【選択図】図１
2017508425.tif 000002
【特許請求の範囲】
【請求項１】
握手を検出するためのシステムにおいて、
ポーリング間隔で又は割り込み時に第１の加速度計から加速度データを受信するように構成されているとともに、前記ポーリング間隔で、前記加速度データから前記第１の電子リストバンドの現在の状態を判断するように構成されている第１の処理装置、及び第１の加速度計と、
前記第１の電子リストバンドの前記現在の状態及び前記第１の無線トランシーバーモジュールの識別子を含むブロードキャストパケットを、ブロードキャスト間隔で第２の無線トランシーバーモジュールに送信するように構成された第１の無線トランシーバーモジュールと
を有し、第１の人物の手首に装着される第１の電子リストバンドと、
前記ポーリング間隔で又は割り込み時に第２の加速度計から加速度データを受信するように構成されているとともに、前記ポーリング間隔で、前記加速度データから前記第２の電子リストバンドの現在の状態を判断するように構成されている第２の処理装置、及び第２の加速度計と、
前記第２の電子リストバンドの前記現在の状態及び前記第２の無線トランシーバーモジュールの識別子を含むブロードキャストパケットを、前記ブロードキャスト間隔で前記第１の無線トランシーバーモジュールに送信するように構成された前記第２の無線トランシーバーモジュールと、
を有し、第２の人物の手首に装着される第２の電子リストバンドと、
を備え、
前記第１の処理装置は、前記第１の処理装置によって前記第１の電子リストバンドが振動していることを示していると判断された前記第１の電子リストバンドの前記現在の状態が、前記第１の無線トランシーバーモジュールが前記第２の無線トランシーバーモジュールから前記ブロードキャストパケットを受信することと実質的に同時に発生した場合、前記握手を検出するように構成されており、前記ブロードキャストパケット中の前記第２の電子リストバンドの前記現在の状態は前記第２の電子リストバンドが振動していることを示すことを特徴とするシステム。
【請求項２】
前記第１の処理装置は、前記加速度読み込みがＸ軸、Ｙ軸又はＺ軸の方向に少なくとも３つの正から負へのサイクルを有する場合、前記第１の電子リストバンドの前記現在の状態が前記第１の電子リストバンドが振動していることを示すと判断する請求項１に記載のシステム。
【請求項３】
前記第２の処理装置は、前記加速度読み込みがＸ軸又はＹ軸又はＺ軸の方向に少なくとも３つの正から負へのサイクルを有する場合、前記第２の電子リストバンドの前記現在の状態が前記第２の電子リストバンドが振動していることを示すと判断する請求項１又は請求項２に記載のシステム。
【請求項４】
前記第１の無線トランシーバーモジュールとペアになった第１のモバイル装置と、前記第２の無線トランシーバーモジュールとペアになった第２のモバイル装置と、サーバとをさらに備え、前記サーバは、前記第１のモバイル装置及び前記第２のモバイル装置に通信可能に接続されており、前記第１の無線トランシーバーモジュール及び第１のモバイル装置のペアと、前記第２の無線トランシーバーモジュール及び第２のモバイル装置のペアとは、前記サーバ経由でネームカード情報を交換する、先行する請求項のいずれかに記載のシステム。
【請求項５】
前記サーバが、ネームカード情報の前記交換の前にセキュリティチェックを実施するように構成されている請求項４に記載のシステム。
【請求項６】
前記第１の無線トランシーバーモジュールはさらに、前記第２の無線トランシーバーモジュールの前記識別子によって前記第２の無線トランシーバーモジュールを見つけるように構成されているとともに、ネームカード情報を交換するために前記第２の無線トランシーバーモジュールとのピアツーピア接続を確立するように構成されている請求項１〜３のいずれかに記載のシステム。
【請求項７】
前記第１の処理装置は、前記加速度データが前記第１の加速度計の方向の変化を示す場合、前記第１の電子リストバンドの前記現在の状態が、前記第１の電子リストバンドが反転していることを示すと判断する、先行する請求項のいずれかに記載のシステム。
【請求項８】
前記第１の電子リストバンドは第１の高度計をさらに備え、前記第１の処理装置は、前記ポーリング間隔で前記第１の高度計から高度データを受信するようにさらに構成されているとともに、前記高度データから前記第１の電子リストバンドの前記現在の状態を判断するようにさらに構成されており、かつ、
前記第２の電子リストバンドは第２の高度計をさらに備え、前記第２の処理装置は、前記ポーリング間隔で前記第２の高度計から高度データを受信するようにさらに構成されているとともに、前記高度データから前記第２の電子リストバンドの前記現在の状態を判断するようにさらに構成されている、先行する請求項のいずれかに記載のシステム。
【請求項９】
前記高度データが０.５メートルを超える高度の増加を示す場合、前記第１の処理装置は、前記第１の電子リストバンドの前記現在の状態が、前記第１の電子リストバンドが上げられていることを示すと判断する請求項８に記載のシステム。
【請求項１０】
前記高度データが０.５メートルを超える高度の減少を示す場合、前記第１の処理装置は、前記第１の電子リストバンドの前記現在の状態が、前記第１の電子リストバンドが下げられていることを示すと判断する請求項８に記載のシステム。
【請求項１１】
前記第１の無線トランシーバーモジュール又は前記第２の無線トランシーバーモジュールは、ＡＮＴトランシーバーモジュール、Ｂｌｕｅｔｏｏｔｈ（登録商標）  ＬＥトランシーバーモジュール、及びＷｉ−Ｆｉトランシーバーモジュールのいずれかである、先行する請求項のいずれかに記載のシステム。
【請求項１２】
前記第１の無線トランシーバーモジュールの前記識別子又は前記第２の無線トランシーバーモジュールの前記識別子が、ＭＡＣアドレスである、先行する請求項のいずれかに記載のシステム。
【請求項１３】
前記ポーリング間隔が２００ミリ秒毎である、先行する請求項のいずれかに記載のシステム。
【請求項１４】
前記ブロードキャスト間隔が３００ミリ秒毎である、先行する請求項のいずれかに記載のシステム。
【請求項１５】
握手を検出する方法において、
加速度データを測定するために、第１の人物の手首に装着されたものであって第１の処理装置及び第１の無線トランシーバーモジュールを備える第１の電子リストバンドに含まれる第１の加速度計を使用するステップと、
ポーリング間隔の前記加速度データから、前記第１の電子リストバンドの現在の状態が、前記第１の電子リストバンドが振動していることを示すと、前記第１の処理装置で判断するステップと、
前記第１の無線トランシーバーモジュールを用いてブロードキャスト間隔で、前記第１の電子リストバンドの前記現在の状態及び前記第１の無線トランシーバーモジュールの識別子を含むブロードキャストパケットを、第２の無線トランシーバーに送信するステップと、
加速度データを測定するために、第２の人物の手首に装着されたものであって第２の処理装置及び前記第２の無線トランシーバーを備える第２の電子リストバンドに含まれる第２の加速度計を使用するステップと、
前記ポーリング間隔の前記加速度データから、前記第２の電子リストバンドの現在の状態が、前記第２の電子リストバンドが振動していることを示すと、前記第２の処理装置で判断するステップと、
前記第２の無線トランシーバーモジュールを用いて、前記第２の電子リストバンドの前記現在の状態及び前記第２の無線トランシーバーモジュールの識別子を含むブロードキャストパケットを、前記ブロードキャスト間隔で前記第１の無線トランシーバーに送信するステップと、
前記第１の無線トランシーバーモジュールを用いて、前記第２の無線トランシーバーモジュールから前記ブロードキャストパケットを受信するステップと、
前記第１の電子リストバンドの前記現在の状態が前記第１の電子リストバンドが振動していることを示すと判断する前記ステップが、前記ブロードキャストパケットを受信する前記ステップと実質的に同時に発生した場合、前記第１の処理装置で前記握手を検出するステップと
を含む、ことを特徴とする握手検出方法。
【請求項１６】
前記第１の電子リストバンドの前記現在の状態が、前記第１の電子リストバンドが振動していることを示すと判断する前記ステップは、前記加速度読み込みからＸ軸又はＹ軸又はＺ軸の方向の少なくとも３つの正から負のサイクルを検出するステップを含む請求項１５に記載の方法。
【請求項１７】
前記第２の電子リストバンドの前記現在の状態が、前記第２の電子リストバンドが振動していることを示すと判断する前記ステップは、前記加速度読み込みからＸ軸又はＹ軸又はＺ軸の方向の少なくとも３つの正から負のサイクルを検出するステップを含む請求項１５又は１６に記載の方法。
【請求項１８】
第１のモバイル装置を前記第１の無線トランシーバーモジュールとペアにするステップと、
第２のモバイル装置を前記第２の無線トランシーバーモジュールとペアにするステップと、
サーバを前記第１のモバイル装置及び前記第２のモバイル装置に通信可能に接続するステップと、
前記サーバ経由で、前記第１の無線トランシーバーモジュール及び前記第１のモバイル装置のペアと、前記第２の無線トランシーバーモジュール及び前記第２のモバイル装置のペアとの間で、ネームカード情報を交換するステップと
をさらに含む請求項１５〜１７のいずれかに記載の方法。
【請求項１９】
前記サーバを用いて、ネームカード情報の前記交換の前にセキュリティチェックを実施するステップをさらに含む請求項１８に記載の方法。
【請求項２０】
前記第１の無線トランシーバーモジュールを用いて、前記第２の無線トランシーバーモジュールの前記識別子によって前記第２の無線トランシーバーモジュールを見つけるステップと、
ネームカード情報を交換するために、前記第１の無線トランシーバーモジュールと前記第２の無線トランシーバーモジュールとの間にピアツーピア接続を確立するステップと
をさらに含む請求項１５〜１７のいずれかに記載の方法。
【請求項２１】
前記加速度データが前記第１の加速度計の方向の変化を示す場合、前記第１の電子リストバンドの前記現在の状態が、前記第１の電子リストバンドが反転していることを示すと、前記第１の処理装置で判断するステップをさらに含む請求項１５〜２０のいずれかに記載の方法。
【請求項２２】
高度データを測定するために、前記第１の電子リストバンドに含まれる第１の高度計を使用するステップと、
前記第１の処理装置で、前記ポーリング間隔の前記高度データから、前記第１の電子リストバンドの前記現在の状態を判断するステップと、
高度データを測定するために第２の高度計を使用するステップであって、前記第１の高度計は前記第２の電子リストバンドに含まれるステップと、
前記第２の処理装置で、前記ポーリング間隔の前記高度データから、前記第２の電子リストバンドの前記現在の状態を判断するステップと
をさらに含む請求項１５〜２１のいずれかに記載の方法。
【請求項２３】
前記高度データが０.５メートルを超える高度の増加を示す場合、前記第１の電子リストバンドの前記現在の状態が、前記第１の電子リストバンドが上げられていることを示すと、前記第１の処理装置で判断するステップをさらに含む請求項２２に記載の方法。
【請求項２４】
前記高度データが０.５メートルを超える高度の減少を示す場合、前記第１の電子リストバンドの前記現在の状態が、前記第１の電子リストバンドが下げられていることを示すと、前記第１の処理装置で判断するステップをさらに含む請求項２２に記載の方法。
【請求項２５】
前記第１の無線トランシーバーモジュール又は前記第２の無線トランシーバーモジュールが、ＡＮＴトランシーバーモジュール、Ｂｌｕｅｔｏｏｔｈ（登録商標）  ＬＥトランシーバーモジュール、及びＷｉ−Ｆｉトランシーバーモジュールのいずれかである請求項１５〜２４のいずれかに記載の方法。
【請求項２６】
前記第１の無線トランシーバーモジュールの前記識別子又は前記第２の無線トランシーバーモジュールの前記識別子がＭＡＣアドレスである請求項１５〜２５のいずれかに記載の方法。
【請求項２７】
前記ポーリング間隔が２００ミリ秒毎である請求項１５〜２６のいずれかに記載の方法。
【請求項２８】
前記ブロードキャスト間隔が３００ミリ秒毎である請求項１５〜２７のいずれかに記載の方法。
【発明の詳細な説明】
【技術分野】
【０００１】
本発明は、電子リストバンド又は手首に装着可能な装置を用いて握手を検出するためのシステム及び方法に関する。
【背景技術】
【０００２】
ウェアラブル技術は、我々の社会でさらに普及しつつある。特に、電子リストバンド又は手首に装着可能な装置は、音楽及びライフスタイルの表示、活動及び健康の追跡、支払又はＩＤ認証、及び社会的な共有及び交流の能力などの機能で、益々大衆に受け入れつつある。その社会的な共有や交流の能力を拡張する際に、複数の電子リストバンドの間で情報の交換を開始するための便利で容易な方法を有することは有利と云える。例えば、握手の動きが検出された場合、これによって、電子リストバンドがネームカード情報を交換することを促し得る。これにより、同僚又は取引相手と会う経験やスピードを大きく向上させ、古めかしい名刺交換行為を失わせるであろう。
【発明の概要】
【発明が解決しようとする課題】
【０００３】
握手の動きを検出する通常の方法は、人物が手首を動かした時を検出するために電子リストバンドに加速度計を埋め込むことであろう。しかしながら、結果として、加速度計は、その人物が実際に他の人物と握手をしているのか、単にダンスやジョギング等をしている時に手を振っているのかを区別することができないため、多くの誤検出をもたらす可能性がある。
【０００４】
従って、本発明の目的は、上記の問題を解決し、少なくとも握手を検出するための新規なシステム及び方法を提供することにある。
【課題を解決するための手段】
【０００５】
本発明の第１の態様に従って、握手検出システムが説明される。当該システムは、第１の人物の手首に装着された第１の電子リストバンドと、第２の人物の手首に装着された第２の電子リストバンドとを備える。前記第１の電子リストバンドは、第１の処理装置と、第１の加速度計とを備え、前記第１の処理装置は、ポーリング間隔で又は割り込み時に前記第１の加速度計から加速度データを受信するように構成されているとともに、ポーリング間隔で加速度データから前記第１の電子リストバンドの現在の状態を判断するように構成されている。前記第１の電子リストバンドはさらに、第１の無線トランシーバーモジュールを備え、前記第１の無線トランシーバーモジュールは、ブロードキャスト間隔でブロードキャストパケットを第２の無線トランシーバーモジュールに送信するように構成され、各ブロードキャストパケットは、前記第１の電子リストバンドの現在の状態及び前記第１の無線トランシーバーモジュールの識別子を含む。前記第２の電子リストバンドは、第２の処理装置と、第２の加速度計とを備え、前記第２の処理装置は、ポーリング間隔で又は割り込み時に前記第２の加速度計から加速度データを受信するように構成されているとともに、ポーリング間隔で前記加速度データから前記第２の電子リストバンドの現在の状態を判断するように構成されている。前記第２の電子リストバンドはさらに、第２の無線トランシーバーモジュールを備え、前記第２の無線トランシーバーモジュールは、ブロードキャスト間隔でブロードキャストパケットを前記第１の無線トランシーバーモジュールに送信するように構成され、各ブロードキャストパケットは、前記第２の電子リストバンドの現在の状態及び前記第２の無線トランシーバーモジュールの識別子を含む。前記第１の処理装置は、前記第１の処理装置によって、前記第１の電子リストバンドが振動していることを示していると判断された、前記第１の電子リストバンドの前記現在の状態が、前記第１の無線トランシーバーモジュールが前記第２の無線トランシーバーモジュールから前記ブロードキャストパケットを受信することと実質的に同時に発生した場合、前記握手を検出するように構成されており、前記ブロードキャストパケット中の前記第２の電子リストバンドの前記現在の状態は前記第２の電子リストバンドが振動していることを示す。
【０００６】
好ましくは、加速度読み込みが、Ｘ軸又はＹ軸又はＺ軸の方向に少なくとも３つの正から負へのサイクルを有する場合、前記第１の処理装置は、前記第１の電子リストバンドの前記現在の状態が、前記第１の電子リストバンドが振動していることを示すと判断する。
【０００７】
好ましくは、前記加速度読み込みが、Ｘ軸又はＹ軸又はＺ軸の方向に少なくとも３つの正から負へのサイクルを有する場合、前記第２の処理装置は、前記第２の電子リストバンドの前記現在の状態が、前記第２の電子リストバンドが振動していることを示すと判断する。
【０００８】
好ましくは、システムは、前記第１の無線トランシーバーモジュールとペアになった第１のモバイル装置と、前記第２の無線トランシーバーモジュールとペアになった第２のモバイル装置と、サーバとをさらに備えるシステムであって、前記サーバは、前記第１のモバイル装置及び前記第２のモバイル装置に通信可能に接続され、前記第１の無線トランシーバーモジュールと第１のモバイル装置のペアと、前記第２の無線トランシーバーモジュールと第２のモバイル装置のペアとは、前記サーバ経由でネームカード情報を交換する。
【０００９】
好ましくは、前記サーバは、ネームカード情報の前記交換の前にセキュリティチェックを実施するように構成されている。
【００１０】
好ましくは、前記第１の無線トランシーバーモジュールはさらに、前記第２の無線トランシーバーモジュールの前記識別子によって前記第２の無線トランシーバーモジュールを見つけるように構成されているとともに、ネームカード情報を交換するために前記第２の無線トランシーバーモジュールとのピアツーピア接続を確立するように構成されている。
【００１１】
好ましくは、前記第１の処理装置は、前記加速度データが前記第１の加速度計の方向の変化を示す場合、前記第１の電子リストバンドの前記現在の状態が、前記第１の電子リストバンドが反転していることを示すと判断する。
【００１２】
好ましくは、前記第１の電子リストバンドは第１の高度計をさらに備え、前記第１の処理装置は、前記ポーリング間隔で前記第１の高度計から高度データを受信するようにさらに構成されているとともに、前記高度データから前記第１の電子リストバンドの前記現在の状態を判断するようにさらに構成され、かつ好ましくは、前記第２の電子リストバンドは第２の高度計をさらに備え、前記第２の処理装置は、前記ポーリング間隔で前記第２の高度計から高度データを受信するようにさらに構成されているとともに、前記高度データから前記第２の電子リストバンドの前記現在の状態を判断するようにさらに構成されている。
【００１３】
好ましくは、前記高度データが０.５メートルを超える高度の増加を示す場合、前記第１の処理装置は、前記第１の電子リストバンドの前記現在の状態が、前記第１の電子リストバンドが上げられていることを示すと判断する。
【００１４】
好ましくは、前記高度データが０.５メートルを超える高度の減少を示す場合、前記第１の処理装置は、前記第１の電子リストバンドの前記現在の状態が、前記第１の電子リストバンドが下げられていることを示すと判断する。
【００１５】
好ましくは、前記第１の無線トランシーバーモジュール又は前記第２の無線トランシーバーモジュールは、ＡＮＴトランシーバーモジュール、Ｂｌｕｅｔｏｏｔｈ（登録商標）  ＬＥトランシーバーモジュール、及びＷｉ−Ｆｉトランシーバーモジュールのいずれかである。
【００１６】
好ましくは、前記第１の無線トランシーバーモジュールの前記識別子又は前記第２の無線トランシーバーモジュールの前記識別子がＭＡＣアドレスである。
【００１７】
好ましくは、前記ポーリング間隔は２００ミリ秒毎である。
【００１８】
好ましくは、前記ブロードキャスト間隔は３００ミリ秒毎である。
【００１９】
本発明の第２の態様に従って、握手を検出する方法であり、加速度データを測定するために、第１の人物の手首に装着されたものであって第１の処理装置及び第１の無線トランシーバーモジュールを備える第１の電子リストバンドに含まれる第１の加速度計を使用するステップと、ポーリング間隔の前記加速度データから、前記第１の電子リストバンドの現在の状態が、前記第１の電子リストバンドが振動していることを示すと、前記第１の処理装置で判断するステップとを含む。前記方法は、前記第１の無線トランシーバーモジュールを用いてブロードキャスト間隔で、前記第１の電子リストバンドの前記現在の状態及び前記第１の無線トランシーバーモジュールの識別子を含むブロードキャストパケットを、第２の無線トランシーバーに送信するステップと、加速度データを測定するために、第２の人物の手首に装着されたものであって第２の処理装置及び前記第２の無線トランシーバーを備える第２の電子リストバンドに含まれる第２の加速度計を使用するステップとを含む。前記方法は、前記ポーリング間隔の前記加速度データから、前記第２の電子リストバンドの現在の状態が、前記第２の電子リストバンドが振動していることを示すと、前記第２の処理装置で判断するステップと、前記第２の無線トランシーバーモジュールを用いて、前記第２の電子リストバンドの前記現在の状態及び前記第２の無線トランシーバーモジュールの識別子を含むブロードキャストパケットを、前記ブロードキャスト間隔で前記第１の無線トランシーバーに送信するステップとを含む。前記方法は、前記第１の無線トランシーバーモジュールを用いて、前記第２の無線トランシーバーモジュールから前記ブロードキャストパケットを受信するステップと、前記第１の電子リストバンドの前記現在の状態が前記第１の電子リストバンドが振動していることを示すと判断する前記ステップが、前記ブロードキャストパケットを受信する前記ステップと実質的に同時に発生した場合、前記第１の処理装置で前記握手を検出するステップとを含む。
【００２０】
好ましくは、前記第１の電子リストバンドの前記現在の状態が、前記第１の電子リストバンドが振動していることを示すと判断する前記ステップは、前記加速度読み込みからＸ軸又はＹ軸又はＺ軸の方向の少なくとも３つの正から負のサイクルを検出するステップを含む。
【００２１】
好ましくは、前記第２の電子リストバンドの前記現在の状態が、前記第２の電子リストバンドが振動していることを示すと判断する前記ステップは、前記加速度読み込みからＸ軸又はＹ軸又はＺ軸の方向の少なくとも３つの正から負のサイクルを検出するステップを含む。
【００２２】
好ましくは、前記方法は、第１のモバイル装置を前記第１の無線トランシーバーモジュールとペアにするステップと、第２のモバイル装置を前記第２の無線トランシーバーモジュールとペアにするステップと、サーバを前記第１のモバイル装置及び前記第２のモバイル装置に通信可能に接続するステップと、前記サーバ経由で、前記第１の無線トランシーバーモジュールと前記第１のモバイル装置のペアと、前記第２の無線トランシーバーモジュールと前記第２のモバイル装置のペアとの間で、ネームカード情報を交換するステップとをさらに含む。
【００２３】
好ましくは、前記方法は、前記サーバを用いて、ネームカード情報の前記交換の前にセキュリティチェックを実施するステップをさらに含む。
【００２４】
好ましくは、前記方法は、前記第１の無線トランシーバーモジュールを用いて、前記第２の無線トランシーバーモジュールの前記識別子によって前記第２の無線トランシーバーモジュールを見つけるステップと、ネームカード情報を交換するために、前記第１の無線トランシーバーモジュールと前記第２の無線トランシーバーモジュールとの間にピアツーピア接続を確立するステップとをさらに含む。
【００２５】
好ましくは、前記方法は、前記加速度データが前記第１の加速度計の方向の変化を示す場合、前記第１の電子リストバンドの前記現在の状態が、前記第１の電子リストバンドが反転していることを示すと、前記第１の処理装置で判断するステップをさらに含む。
【００２６】
好ましくは、前記方法は、高度データを測定するために、前記第１の電子リストバンドに含まれる第１の高度計を使用するステップと、前記第１の処理装置で、前記ポーリング間隔の前記高度データから、前記第１の電子リストバンドの前記現在の状態を判断するステップと、高度データを測定するために第２の高度計を使用するステップであって、前記第１の高度計は前記第２の電子リストバンドに含まれるステップと、前記第２の処理装置で、前記ポーリング間隔の前記高度データから、前記第２の電子リストバンドの前記現在の状態を判断するステップとをさらに含む。
【００２７】
好ましくは、前記方法は、前記高度データが０.５メートルを超える高度の増加を示す場合、前記第１の電子リストバンドの前記現在の状態が、前記第１の電子リストバンドが上げられていることを示すと、前記第１の処理装置で判断するステップをさらに含む。
【００２８】
好ましくは、前記方法は、前記高度データが０.５メートルを超える高度の減少を示す場合、前記第１の電子リストバンドの前記現在の状態が、前記第１の電子リストバンドが下げられていることを示すと、前記第１の処理装置で判断するステップをさらに含む。
【００２９】
好ましくは、前記第１の無線トランシーバーモジュール又は前記第２の無線トランシーバーモジュールが、ＡＮＴトランシーバーモジュール、Ｂｌｕｅｔｏｏｔｈ（登録商標）  ＬＥトランシーバーモジュール、及びＷｉ−Ｆｉトランシーバーモジュールのいずれかである。
【００３０】
好ましくは、前記第１の無線トランシーバーモジュールの識別子又は前記第２の無線トランシーバーモジュールの識別子は、ＭＡＣアドレスである。
【００３１】
好ましくは、前記ポーリング間隔は、２００ミリ秒毎である。
【００３２】
好ましくは、前記ブロードキャスト間隔は、３００ミリ秒毎である。
【図面の簡単な説明】
【００３３】
本発明は、添付の図面を参照して以下に詳細に説明される。
【００３４】
添付された図面は、開示された実施形態を示し、開示された実施形態の原理を説明するために役立つ。但し、これらの図は例示の目的でのみ示され、適用の制限を定義する目的ではないことが理解される。
【００３５】
【図１】図１は、好適な実施形態に係る握手検出システムの略図を示す。
【図２】図２は、第１の電子リストバンドの構成要素を示す。
【図３】図３は、第２の電子リストバンドの構成要素を示す。
【図４】図４は、例示的な加速度データを示す。
【図５】図５は、本発明で用いられるブロードキャストパケットを示す。
【図６Ａ】図６Ａは、好適な実施形態に係る握手検出方法のフローチャートを示す。
【図６Ｂ】図６Ｂは、好適な実施形態に係る握手検出方法のフローチャートを示す。
【図７Ａ】図７Ａは、他の好適な実施形態に係る握手検出方法のフローチャートを示す。
【図７Ｂ】図７Ｂは、他の好適な実施形態に係る握手検出方法のフローチャートを示す。
【図８】図８は、他の好適な実施形態に係る握手検出システムの略図を示す。
【図９Ａ】図９Ａは、他の好適な実施形態に係る握手検出方法のフローチャートを示す。
【図９Ｂ】図９Ｂは、他の好適な実施形態に係る握手検出方法のフローチャートを示す。
【発明を実施するための形態】
【００３６】
本発明の例示的かつ非制限的実施形態について、以下に上述の図面を参照して説明する。
【００３７】
図１は、データを交換するためのシステム１００を示す。システム１００は、第１の電子リストバンド１０１と、第２の電子リストバンド１０２とを備える。
【００３８】
図２は、第１の電子リストバンド１０１の構成要素を示す。第１の電子リストバンド１０１は、処理装置２０１と、メモリモジュール２０２と、加速度計２０３と、高度計２０４とを備える。第１の電子リストバンド１０１はさらに、無線トランシーバーモジュール２０５と時計２０６とを備える。
【００３９】
第２の電子リストバンド１０２は、第１の電子リストバンド１０１と同じ構成要素を有する。すなわち、図３に示されるように、第２の電子リストバンド１０２は、処理装置３０１と、メモリモジュール３０２と、加速度計３０３と、高度計３０４とを備える。第２の電子リストバンド１０２はさらに、無線トランシーバーモジュール３０５と、時計３０６とを備える。
【００４０】
無線トランシーバーモジュール２０５、３０５はアンテナを有し、１０メートルの範囲内で２．４ＧＨｚの周波数で動作することができる。無線トランシーバーモジュール２０５、３０５は、非常に短いデューティサイクル及びディープスリープの技術を使用することによって非常に低電力で動作することができる。無線トランシーバーモジュール２０５、３０５のスループットは、２０ｋｂｐｓとなり得る。各無線トランシーバーモジュール２０５、３０５は、スレーブ又はマスターとして動作することができる。無線トランシーバーモジュール２０５、３０５は、ブロードキャストモードで動作することができる。ブロードキャストモードでは、無線トランシーバーモジュール２０５、３０５は、その範囲内でブロードキャストパケットを他の無線トランシーバーモジュール２０５、３０５に送信する。無線トランシーバーモジュール２０５、３０５はまた、接続モードでも動作することができる。接続モードでは、無線トランシーバーモジュール２０５は、ピアツーピア接続で無線トランシーバーモジュール３０５に直接接続する。
【００４１】
無線トランシーバーモジュール２０５、３０５は、ＡＮＴプロトコル等で動作するＡＮＴトランシーバーモジュールであり得る。または、無線トランシーバーモジュール２０５、３０５は、Ｂｌｕｅｔｏｏｔｈ（登録商標）  ＬＥプロトコル等で動作するＢｌｕｅｔｏｏｔｈ（登録商標）  ＬＥトランシーバーモジュールであり得る。または、無線トランシーバーモジュール２０５、３０５は、Ｗｉ−Ｆｉプロトコル等で動作するＷｉ−Ｆｉトランシーバーモジュールであり得る。
【００４２】
加速度計２０３、３０３は、加速度データを測定する。加速度計２０３、３０３は、３軸の加速度計とすることができる。高度計２０４、３０４は、高度値を測定する。高度計２０４、３０４は、死海の水位を参照して、高度値を測定することができる。時計２０６及び３０６は、時間を計る。
【００４３】
処理装置２０１、３０１は、マイクロプロセッサとすることができる。メモリモジュール２０２、３０２内に格納されるのは、人物のネームカード情報、すなわち、氏名、会社、肩書き、会社住所、電子メールアドレス、携帯電話番号、勤務先電話番号、写真などであり得る。メモリモジュール２０２、３０２はまた、加速度計２０３、３０３によって提供される加速度データ及び高度計２０４、３０４によって提供される高度データも格納できる。
【００４４】
処理装置２０１、３０１は、ポーリング間隔で又は割り込み時に加速度計２０３、３０３から加速度データを取得することができる。このポーリング間隔は、２００ミリ秒毎であり得る。図４は、いくつかの例示的な加速度データを提供する。図４では、正及び負の値は加速の方向を示し、（c）はスケールクオンタイズ値定数である。４０１は、正から負へのサイクルを示す。
【００４５】
取得した加速度データに基づいて、処理装置２０１、３０１は、第１の電子リストバンド１０１、第２の電子リストバンド１０２の状態を計算又は判断することができる。例えば、以下の通りである。
・処理装置２０１、３０１がＸ軸、Ｙ軸、又はＺ軸の方向に少なくとも３つの正から負のサイクル４０１を検出した場合、処理装置２０１、３０１は、第１の電子リストバンド１０１、第２の電子リストバンド１０２の状態を「疑似握手」に設定する。
・処理装置２０１、３０１が数秒間Ｘ軸、Ｙ軸、又はＺ軸の方向に加速の変化を検出しない場合、処理装置２０１、３０１は、第１の電子リストバンド１０１、第２の電子リストバンド１０２の状態を「動作なし」に設定する。
・処理装置２０１、３０１が加速度計の方向の変化を検出した場合、処理装置２０１、３０１は、第１の電子リストバンド１０１、第２の電子リストバンド１０２の状態を「反転する」に設定する。
【００４６】
第１の電子リストバンド１０１、第２の電子リストバンド１０２の状態は、第１の電子リストバンド１０１、第２の電子リストバンド１０２の「現在の」状態を確立するためにポーリング間隔毎に処理装置２０１、３０１によって計算される。第１の電子リストバンド１０１、第２の電子リストバンド１０２の状態は、バイトとしてコーディングされ、メモリモジュール２０２、３０２に保存され得る。
【００４７】
代替の実施形態では、第１の電子リストバンド１０１、第２の電子リストバンド１０２の状態は、加速度データの代わりに高度データを使用して処理装置２０１、３０１によって計算又は判断され得る。処理装置２０１、３０１は、ポーリング間隔で又は割り込み時に高度計２０４、３０４から高度データを取得することができる。このポーリング間隔は、２００ミリ秒毎であり得る。
【００４８】
取得された高度データに基づいて、処理装置２０１、３０１は、第１の電子リストバンド１０１、第２の電子リストバンド１０２の状態を計算又は判断することができる。例えば、以下の通りである。
・処理装置２０１、３０１が高度の変動を検出し、数秒間持続した場合、処理装置２０１、３０１は、第１の電子リストバンド１０１、第２の電子リストバンド１０２の状態を「疑似握手」に設定する。
・処理装置２０１、３０１が０.５メートルを超える高度の増加を検出し、数秒間持続した場合、処理装置２０１、３０１は、第１の電子リストバンド１０１、第２の電子リストバンド１０２の状態を「手を上げる」に設定する。
・処理装置２０１、３０１が０.５メートルを超える高度の減少を検出し、数秒間持続した場合、処理装置２０１、３０１は、第１の電子リストバンド１０１、第２の電子リストバンド１０２の状態を「手を下げる」に設定する。
【００４９】
ブロードキャストモードでは、無線トランシーバーモジュール２０５、３０５は、ブロードキャスト間隔でブロードキャストパケット５０１、５０２を送信する。ブロードキャスト間隔は、ポーリング間隔よりも長くなり得る。このブロードキャスト間隔は３００ミリ秒毎であり得る。ブロードキャストパケット５０１、５０２（図５を参照）は、第１の電子リストバンド１０１、第２の電子リストバンド１０２の状態を含む。ブロードキャストパケット５０１、５０２はまた、無線トランシーバーモジュール２０５、３０５のメディアアクセス制御アドレス（ＭＡＣアドレス）、またはシリアル番号、又はＩＰアドレス、又は無線トランシーバーモジュール２０５、３０５を一意に特定する識別子を含むこともできる。
【００５０】
図６Ａ及び図６Ｂは、好適な実施形態に係る握手検出方法を示す。第１の電子リストバンド１０１は、第１の人物によって装着され、一方、第２の電子リストバンド１０２は、第２の人物によって装着される。
【００５１】
ステップ６０１を参照すると、処理装置２０１は、ポーリング間隔で又は割り込み時に加速度計２０３から加速度データを取得し、第１の電子リストバンド１０１の状態を計算する。
【００５２】
ステップ６０２では、無線トランシーバーモジュール２０５が、無線トランシーバーモジュール２０５の状態及びＭＡＣアドレスをブロードキャストパケット５０１に含め、ブロードキャスト間隔でブロードキャストパケット５０１を送信する。または、無線トランシーバーモジュール２０５のＭＡＣアドレスの代わりに、シリアル番号、又はＩＰアドレス、又は無線トランシーバーモジュール２０５を一意に特定する識別子を、ブロードキャストパケット５０１に含めることができる。当業者は、ブロードキャストパケット５０１が無線トランシーバーモジュール２０５を一意に特定する何らかの形態の識別子を含まなければならないことが重要であると理解するであろう。
【００５３】
ステップ６０３では、処理装置３０１が、ポーリング間隔で又は割り込み時に加速度計３０３から加速度データを取得し、第２の電子リストバンド１０２の状態を計算する。
【００５４】
ステップ６０４では、無線トランシーバーモジュール３０５が、無線トランシーバーモジュール３０５の状態及びＭＡＣアドレスをブロードキャストパケット５０２に含め、ブロードキャスト間隔でブロードキャストパケット５０２を送信する。または、無線トランシーバーモジュール３０５のＭＡＣアドレスの代わりに、シリアル番号、又はＩＰアドレス、又は無線トランシーバーモジュール３０５を一意に特定する識別子を、ブロードキャストパケット５０２に含めることができる。当業者は、ブロードキャストパケット５０２が無線トランシーバーモジュール３０５を一意に特定する何らかの形態の識別子を含めなければならないことが重要であると理解するであろう。
【００５５】
ステップ６０５では、無線トランシーバーモジュール２０５が、無線トランシーバーモジュール３０５からブロードキャストパケット５０２を受信する。
【００５６】
ステップ６０６では、処理装置２０１は、第１の電子リストバンド１０１の「現在の」状態と、ブロードキャストパケット５０２から抽出された第２の電子リストバンド１０２の状態と比較する。
【００５７】
ステップ６０７では、第１の電子リストバンド１０１と第２の電子リストバンド１０２の両方の状態が「疑似握手」である場合、処理装置２０１は、握手イベントが発生したと判断する。
【００５８】
ステップ６０８では、ブロードキャストパケット５０２から抽出された無線トランシーバーモジュール３０５のＭＡＣアドレスで、無線トランシーバーモジュール２０５は、接続モードで無線トランシーバーモジュール３０５への接続を試みる。
【００５９】
ステップ６０９では、無線トランシーバーモジュール３０５が、無線トランシーバーモジュール２０５からブロードキャストパケット６０１を受信する。
【００６０】
ステップ６１０では、処理装置３０１が、第２の電子リストバンド１０２の「現在の」状態と、ブロードキャストパケット５０１から抽出された第１の電子リストバンド１０１の状態と比較する。
【００６１】
ステップ６１１では、第２の電子リストバンド１０２と第１の電子リストバンド１０１の両方の状態が「疑似握手」である場合、処理装置３０１は、握手イベントが発生したと判断する。
【００６２】
ステップ６１２では、ブロードキャストパケット５０１から抽出された無線トランシーバーモジュール２０５のＭＡＣアドレスで、無線トランシーバーモジュール３０５は、接続モードで無線トランシーバーモジュール２０５への接続を試みる。
【００６３】
ステップ６１３では、ピアツーピア無線接続リンクが無線トランシーバーモジュール２０５と無線トランシーバーモジュール３０５の間に確立され、ネームカード情報が交換される。
【００６４】
よって、開示された本発明は、２つの「隣接する」電子リストバンド１０１、１０２の両方が「疑似握手」の実質的に同期された状態を有する場合、握手イベントが発生したであろうという原則で機能する。処理装置２０１、３０１は、電子リストバンド１０１、１０２の状態を計算しており、一方、無線トランシーバーモジュール２０５、３０５は、上記状態でブロードキャストパケット５０１、５０２を送受信している。ここでは時間が決定的な要素である。処理装置２０１が「疑似握手」の状態を計算することと実質的に同時に、第２の電子リストバンド１０２の状態が「疑似握手」であることを報告するブロードキャストパケット５０２を、処理装置１０２が受信した場合にのみ、処理装置２０１は、握手イベントが発生したとみなす。言い換えると、電子リストバンド１０１、１０２の「疑似握手」の状態が同期された又はほぼ同期された（ブロードキャストパケット５０１、５０２の送受信の際に固有の遅れがある）場合にのみ、処理装置２０１は、握手イベントが発生したとみなす。同様に、処理装置３０１が「疑似握手」の状態を計算することと実質的に同時に、第１の電子リストバンド１０１の状態が「疑似握手」であることを報告するブロードキャストパケット５０１を、処理装置３０１が受信した場合にのみ、処理装置３０１は、握手イベントが発生したとみなす。
【００６５】
本発明は、それ故、同期された又はほぼ同期された「振動」を検出することに成功する。さらに、当業者は、本発明が同期された又はほぼ同期された「手を上げること」、同期された又はほぼ同期された「手を下げること」、及び同期された又はほぼ同期された「手を反転させること」を検出するように容易に適合され得ることを理解するであろう。
【００６６】
さらに本発明は、ブロードキャストパケット５０１、５０２が、電子リストバンド１０１、１０２の状態だけを報告するので有利であり、かかる電子リストバンド１０１、１０２の状態は、１バイト内にコーディング可能である。生データ（すなわち加速度データ）は、ブロードキャストパケット５０１、５０２では送信されない。これは、本発明が低電力の形態の、つまり低帯域幅の無線通信（例えば、ＡＮＴ、Ｂｌｕｅｔｏｏｔｈ（登録商標）  ＬＥ、Ｗｉ−Ｆｉ等）で機能するように構想されているからである。さらに、無線トランシーバーモジュール２０５、３０５がブロードキャストパケット５０１、５０２を高レート（ブロードキャスト間隔）で送信しているので、ブロードキャストパケット５０１、５０２のサイズが可能な限り小さいことが必須である。
【００６７】
図７Ａ及び図７Ｂで示されるような、他の好適な実施形態では、高度計２０４、３０４からの高度データは、加速度計２０３、３０３からの加速度データの代わりに握手を検出するために使用される。
【００６８】
ステップ７０１を参照すると、処理装置２０１は、ポーリング間隔で又は割り込み時に高度計２０４から高度データを取得し、第１の電子リストバンド１０１の状態を計算する。
【００６９】
ステップ７０２では、無線トランシーバーモジュール２０５が、無線トランシーバーモジュール２０５の状態及びＭＡＣアドレスをブロードキャストパケット５０１に含め、ブロードキャスト間隔でブロードキャストパケット５０１を送信する。
【００７０】
ステップ７０３では、処理装置３０１が、ポーリング間隔で又は割り込み時に高度計３０４から高度データを取得し、第２の電子リストバンド１０２の状態を計算する。
【００７１】
ステップ７０４では、無線トランシーバーモジュール３０５が、無線トランシーバーモジュール３０５の状態及びＭＡＣアドレスをブロードキャストパケット５０２に含め、ブロードキャスト間隔でブロードキャストパケット５０２を送信する。
【００７２】
ステップ７０５では、無線トランシーバーモジュール２０５が、無線トランシーバーモジュール３０５からブロードキャストパケット５０２を受信する。
【００７３】
ステップ７０６では、処理装置２０１は、第１の電子リストバンド１０１の「現在の」状態と、ブロードキャストパケット５０２から抽出された第２の電子リストバンド１０２の状態と比較する。
【００７４】
ステップ７０７では、第１の電子リストバンド１０１と第２の電子リストバンド１０２の両方の状態が「疑似握手」である場合、処理装置２０１は、握手イベントが発生したと判断する。
【００７５】
ステップ７０８では、ブロードキャストパケット５０２から抽出された無線トランシーバーモジュール３０５のＭＡＣアドレスで、無線トランシーバーモジュール２０５は、接続モードで無線トランシーバーモジュール３０５への接続を試みる。
【００７６】
ステップ７０９では、無線トランシーバーモジュール３０５が、無線トランシーバーモジュール２０５からブロードキャストパケット５０１を受信する。
【００７７】
ステップ７１０では、処理装置３０１が、第２の電子リストバンド１０２の「現在の」状態と、ブロードキャストパケット５０１から抽出された第１の電子リストバンド１０１の状態と比較する。
【００７８】
ステップ７１１では、第２の電子リストバンド１０２と第１の電子リストバンド１０１の両方の状態が「疑似握手」である場合、処理装置３０１は、握手イベントが発生したと判断する。
【００７９】
ステップ７１２では、ブロードキャストパケット５０１から抽出された無線トランシーバーモジュール２０５のＭＡＣアドレスで、無線トランシーバーモジュール３０５は、接続モードで無線トランシーバーモジュール２０５への接続を試みる。
【００８０】
ステップ７１３では、ピアツーピア無線接続リンクが無線トランシーバーモジュール２０５と無線トランシーバーモジュール３０５の間で確立され、ネームカード情報が交換される。
【００８１】
さらに他の好適な実施形態では、ネームカード情報の転送のために無線トランシーバーモジュール２０５と無線トランシーバーモジュール３０５の間にピアツーピア接続を確立する（図６Ｂ及び図７Ｂのステップ６１３及び７１３で説明した通り）代わりに、システム８００は、モバイル装置８０１と、モバイル装置８０２と、サーバ８０３とを使用する（図８を参照）。第１の電子リストバンド１０１は、第１の人物によって装着され、一方、第２の電子リストバンド１０２は、第２の人物によって装着される。モバイル装置８０１及びモバイル装置８０２は、サーバ８０３に通信可能に接続可能である。モバイル装置８０１は、第１の電子リストバンド１０１と「ペア」にされ、モバイル装置８０２は、第２の電子リストバンド１０２と「ペア」にされる。図９Ａ及び図９Ｂは、システム８００を実施する方法を説明する。
【００８２】
ステップ９０１では、処理装置２０１が、ポーリング間隔で又は割り込み時に加速度計２０３から加速度データを取得し、第１の電子リストバンド１０１の状態を計算する。
【００８３】
ステップ９０２では、無線トランシーバーモジュール２０５が、 無線トランシーバーモジュール２０５の状態及びＭＡＣアドレスをブロードキャストパケット５０１に含め、ブロードキャスト間隔でブロードキャストパケット５０１を送信する。
【００８４】
ステップ９０３では、処理装置３０１が、ポーリング間隔で又は割り込み時に加速度計３０３から加速度データを取得し、第２の電子リストバンド１０２の状態を計算する。
【００８５】
ステップ９０４では、無線トランシーバーモジュール３０５が、無線トランシーバーモジュール３０５の状態及びＭＡＣアドレスをブロードキャストパケット５０２に含め、ブロードキャスト間隔でブロードキャストパケット５０２を送信する。
【００８６】
ステップ９０５では、無線トランシーバーモジュール２０５が、無線トランシーバーモジュール３０５からブロードキャストパケット５０２を受信する。
【００８７】
ステップ９０６では、処理装置２０１が、第１の電子リストバンド１０１の「現在の」状態と、ブロードキャストパケット５０２から抽出された第２の電子リストバンド１０２の状態と比較する。
【００８８】
ステップ９０７では、第１の電子リストバンド１０１と第２の電子リストバンド１０２の両方の状態が「疑似握手」である場合、処理装置２０１は、握手イベントが発生したと判断する。
【００８９】
ステップ９０８では、無線トランシーバーモジュール２０５が、モバイル装置８０１にブロードキャストパケット５０２から抽出された無線トランシーバーモジュール３０５のＭＡＣアドレスを送信する。
【００９０】
ステップ９０９では、モバイル装置８０１が、サーバ８０３に接続し、無線トランシーバーモジュール３０５のＭＡＣアドレスをサーバ８０３に提供する。この接続を経由して、サーバ８０３は、無線トランシーバーモジュール２０５のＭＡＣアドレスを特定し、そのデータベースから第１の人物のネームカード情報を取得することができる。これは、サーバ８０３での何らかの形態の事前登録が行われ、サーバ８０３が、モバイル装置８０１と、無線トランシーバーモジュール２０５のＭＡＣアドレスと、第１の人物のネームカード情報との間の関連リンクを記録していることを前提とする。サーバ８０３がそのデータベースから第１の人物のネームカード情報を取得すると、サーバ８０３はまた、セキュリティの目的で追加のチェックを提供することもできる。例えば、サーバ８０３は、プロンプトをモバイル装置８０１に送信し、第１の人物に対して、ネームカード情報が本当に送信されるべきであるかを確認するように要求することができる。または、サーバ８０３は、第１の人物にパスワードを入力するように促すことも可能である。これらの追加のチェックは、握手イベントが不正確に検出される非常に低い可能性もあるので予防目的であり、またネームカード情報が間違って送信されるという状況を避けるためのものである。これらの追加のチェックはまた、第１の人物又は第２の人物が、自身の連絡情報又はネームカード情報を、選択された人物だけに開示することを望む場合、プライバシーの懸念を軽減することにも役立ち得る。
【００９１】
ステップ９１０では、サーバ８０３が、モバイル装置８０２が第２の電子リストバンド１０２の無線トランシーバーモジュール３０５と「ペア」にされたと判断し、第１の人物のネームカード情報をモバイル装置８０２に送信する。再びこれは、サーバ８０３での何らかの形態の事前登録が行われ、サーバ８０３が、モバイル装置８０２と、無線トランシーバーモジュール３０５のＭＡＣアドレスと、第２の人物のネームカード情報との間に関連リンクを記録していることを前提とする。
【００９２】
ステップ９１１では、モバイル装置８０２が、第１の人物のネームカード情報を無線トランシーバーモジュール３０５に送信する。
【００９３】
ステップ９１２では、無線トランシーバーモジュール２０５が、無線トランシーバーモジュール３０５からブロードキャストパケット５０２を受信する。
【００９４】
ステップ９１３では、処理装置３０１が、第２の電子リストバンド１０２の「現在の」状態と、ブロードキャストパケット５０１から抽出された第１の電子リストバンド１０１の状態と比較する。
【００９５】
ステップ９１４では、第２の電子リストバンド１０２と第１の電子リストバンド１０１の両方の状態が「疑似握手」である場合、処理装置３０１は、握手イベントが発生したと判断する。
【００９６】
ステップ９１５では、無線トランシーバーモジュール３０５が、 モバイル装置８０２にブロードキャストパケット５０１から抽出された無線トランシーバーモジュール２０５のＭＡＣアドレスを送信する。
【００９７】
ステップ９１６では、モバイル装置８０２がサーバ８０３に接続し、無線トランシーバーモジュール２０５のＭＡＣアドレスをサーバ８０３に提供する。この接続を経由して、サーバ８０３は、無線トランシーバーモジュール３０５のＭＡＣアドレスを特定し、そのデータベースから第２の人物のネームカード情報を取得することができる。サーバ８０３がそのデータベースから第２の人物のネームカード情報を取得すると、サーバ８０３はまた、セキュリティの目的で追加のチェックを提供することもできる。例えば、サーバ８０３は、プロンプトをモバイル装置８０２に送信し、第２の人物に対して、ネームカード情報が本当に送信されるべきであるかを確認するように要求することができる。または、サーバ８０３は、第２の人物にパスワードを入力するように促すこともできる。これらの追加のチェックは、握手イベントが不正確に検出されるという非常に低い可能性もあるので予防目的であり、またネームカード情報が間違って送信されるという状況を避けるためのものである。これらの追加のチェックはまた、第１の人物又は第２の人物が、自身の連絡情報又はネームカード情報を、選択された人物だけに開示することを望む場合、プライバシーの懸念を軽減するのにも役立ち得る。
【００９８】
ステップ９１７では、サーバ８０３が、モバイル装置８０１が第１の電子リストバンド１０１の無線トランシーバーモジュール２０５とペアにされたと判断し、第２の人物のネームカード情報をモバイル装置８０１に送信する。
【００９９】
ステップ９１８では、モバイル装置８０１が、第２の人物のネームカード情報を無線トランシーバーモジュール２０５に送信する。
【０１００】
本実施形態の利点は、セキュリティの向上である。サーバ８０３は、ネームカード情報のリポジトリとして機能し、ネームカード情報の転送は、サーバ８０３に委ねられる。従って、サーバ８０３は、第１の又は第２の人物にパスワードを入力するように促すなどの多様な認証ステップを実施することができる。これによって、ネームカード情報が間違って送信されるという状況を減少させる。
【０１０１】
本実施形態は、加速度計２０３、３０３から加速度データを取得する処理装置２０１、３０１について説明したが、本発明が、高度計２０４、３０４から高度データを取得する処理装置２０１、３０１でも機能するであろうことは、本明細書及び特に図７Ａ及び図７Ｂで開示されている知識を有する当業者には明白であろう。
【０１０２】
本出願において、特段の定めがない限り、「備えている」、「備える」及びその文法上の異形は、列記された部材を含むが、追加の非明示的に記載された部材を含むことを可能にするように、「オープン」な又は「包括的」言語を表すことが意図されている。
【０１０３】
上記開示内容を通読した後、本出願のその他多様な修正及び適応が、当業者にとって本出願の精神及び範囲から逸することなく自明となることが、明らかであろう。また、かかるすべての修正及び適応は、添付の請求の範囲内となることが意図されている。
【図１】
2017508425.tif 000003
【図２】
2017508425.tif 000004
【図３】
2017508425.tif 000005
【図４】
2017508425.tif 000006
【図５】
2017508425.tif 000007
【図６Ａ】
2017508425.tif 000008
【図６Ｂ】
2017508425.tif 000009
【図７Ａ】
2017508425.tif 000010
【図７Ｂ】
2017508425.tif 000011
【図８】
2017508425.tif 000012
【図９Ａ】
2017508425.tif 000013
【図９Ｂ】
2017508425.tif 000014
【手続補正書】
【提出日】平成28年10月14日(2016.10.14)
【手続補正１】
【補正対象書類名】明細書
【補正対象項目名】００５９
【補正方法】変更
【補正の内容】
【００５９】
ステップ６０９では、無線トランシーバーモジュール３０５は、無線トランシーバーモジュール２０５からブロードキャストパケット５０１を受信する。
【手続補正２】
【補正対象書類名】図面
【補正対象項目名】図６Ｂ
【補正方法】変更
【補正の内容】
【図６Ｂ】
2017508425.tif 000015
【手続補正３】
【補正対象書類名】図面
【補正対象項目名】図７Ｂ
【補正方法】変更
【補正の内容】
【図７Ｂ】
2017508425.tif 000016
【国際調査報告】
2017508425.tif 000017
2017508425.tif 000018
2017508425.tif 000019